(57)【特許請求の範囲】
【請求項１】
被施療部が挿入される溝状の載置部を有し、この載置部に設けられた施療用のエアーバッグを有する複数のベース部と、前記エアーバッグを駆動するエアー供給装置とから構成され、互いに隣接するベース部を結合または分離する結合手段を設けるとともに、互いに隣接する両ベース部の少なくとも一方にエアーバッグに連通するホースを収納するホース収納部を設け、前記両ベース部を結合した際に前記ホース収納部に互いに隣接するベース部間に配設されたホースを収納するようにしたことを特徴とするマッサージ器。
【発明の詳細な説明】
【０００１】
【発明の属する技術分野】
この発明は、駆動部によって駆動させる施療子によって被施療部のマッサージをするマッサージ器に関する。
【０００２】
【従来の技術】
従来、例えば脚（ふくらはぎ部）をエアーバッグ等からなる施療子によって脚部の両側および下側から押圧・弛緩してマッサージをするようにしたタイプのマッサージ器があるが、この従来のマッサージ器は、マッサージをする際に脚を挿入つまり脚を入れる一対の溝状の脚載置部をベース部に形成し、この脚載置部に脚を入れそしてエアー供給装置からエアーバッグにエアーを給排気して膨縮させて、脚を押圧弛緩してマッサージをするものである。
【０００３】
ところで、前記ベース部に設けた一対の溝状の脚載置部は、ベース部に固定的に設けられているものであることから、使用者がマッサージをする場合は、固定的に設けられた脚載置部に脚を入れなくてはならず、このため脚は脚載置部に位置決めされてしまうものであることから、使用者によっては自分の両脚を自由な状態で伸ばした際の両脚の間隔と前記ベース部に設けた一対の脚載置部の間隔とが必ずしも一致するものでない。
【０００４】
このため、使用者はマッサージをする際に、両脚を伸ばして脚載置部に脚を入れた際に、両脚が脚載置部によって位置決めされてしまうことから、両脚は窮屈な状態となってしまい違和感を覚えることになる。したがって、このような窮屈で違和感を覚える状態でマッサージをしたとしても良好なマッサージ効果を得ることができないものである。
【０００５】
また、腕を同様にエアーバッグ等からなる施療子によって押圧・弛緩してマッサージするようにしたタイプのマッサージ器もあるが、このマッサージ器は左右の腕を一方づつマッサージするものであることか使い勝手が悪いものである。
【０００６】
【発明が解決しようとする課題】
このように従来の上記各タイプのマッサージ器のうち、一対の脚載置部を固定的に設けて脚をマッサージするものではベース部に設けた前記一対の脚載置部の間隔が固定的であることから、使用者によっては伸ばした自分の両脚の間隔が前記両脚載置部の間隔と異なり、その結果窮屈で違和感を覚える状態に強制的に位置決めされた状態でマッサージをすることになり良好なマッサージ効果を得ることができないという問題がある。
【０００７】
また、腕をマッサージするタイプのものでは、左右の腕の一方づつしかマッサージすることができないものであり、使い勝手が悪いという問題がある。
【００１０】
【課題を解決するための手段】
請求項１記載の発明は、被施療部が挿入される溝状の載置部を有し、この載置部に設けられた施療用のエアーバッグを有する複数のベース部と、前記エアーバッグを駆動するエアー供給装置とから構成され、互いに隣接するベース部を結合または分離する結合手段を設けるとともに、互いに隣接する両ベース部の少なくとも一方にエアーバッグに連通するホースを収納するホース収納部を設け、前記両ベース部を結合した際に前記ホース収納部に互いに隣接するベース部間に配設されたホースを収納するようにしたマッサージ器としたものである。
【００１１】
この請求項１記載の発明は、被施療部が挿入される溝状の載置部に設けられた施療用のエアーバッグを有する複数のベース部を結合または分離するようにしたことから、使用者は、マッサージの際、ベース部を自分の両脚等の被施療部の部位に合わせて個別的に位置決めでき、よって、良好なマッサージ効果が得られるという作用を有するものである。
【００１３】
更に、請求項１記載の発明は、互いに隣接するベース部を結合または分離する結合手段を設けるとともに、互いに隣接する両ベース部の少なくとも一方にエアーバッグに連通するホースを収納するホース収納部を設け、前記両ベース部を結合した際に前記ホース収納部に互いに隣接するベース部間に配設されたホースを収納するようにしたから、両ベース部の結合時に互いに隣接するベース部間に配設されたホースがホース収納部に収納されてベース部の外部に露出しない。このため、結合状態で使用する場合および収納時にホースが邪魔になることはなく、取扱いを容易にできるという作用を有するものである。
【００１６】
【発明の実施の形態】
つぎに、この発明の実施の形態を図１ないし図４に基づいて説明する。
【００１７】
図１はマッサージ器１の全体を示す斜視図であり、同図に示すようにマッサージ器１は、マッサージ部を構成する一対のベース部つまりベース部Ａとベース部Ｂおよびエアー供給装置３０とから構成されている。そして、ベース部Ａは、筐体１０とこの筐体１０に配設された一対の施療子としてのエアーバッグ１８、１８等から構成されている。
【００１８】
また、前記筐体１０は、上面両側に上方に向けて突出させた支持部１１、１１を形成することにより上面に溝状の脚載置部１２が形成されている。また、前記筐体１０の前記支持部１１の互いに対向する支持面１１ａに支持された布等から形成された収納体１３がその下側縁を図示しないホック等の取付手段によって着脱可能にして取り付けられており、この収納体１３には前記エアーバッグ１８が収納されている。
【００１９】
また、前記筐体１０の一方の側壁１０ａには図に示すようにホース４０が取り付けられており、このホース４０は図示しないが筐体１０の内部において分岐され、分岐された一方のホースはさらに分岐されてそれぞれ前記エアーバッグ１８内にエアーを供給するように接続されており、また、前記分岐された他方のホース４１は、図４に示すように筐体１０の他方の側壁１０ｂから引き出されている。また、前記ホース４０の他方は後詳述する前記エアー供給装置３０の給気口（不図示）に着脱可能に接続されている。
【００２０】
また、前記筐体１０の前記他方の側壁１０ｂの下端部には、図４に示すように上方に向けた係合爪１５ａを有する一対の係合片１５が形成され、また、支持部１１の上面中央部には係止凹部１６が形成されている。
【００２１】
また、前記ベース部Ｂは、筐体２０とこの筐体２０に配設された一対のエアーバッグ２８、２８（筐体１０に配設されたエアーバッグ１８と同一構成となっている）等から構成されている。なお、ベース部Ｂは、ベース部Ａの前記他方の側壁１０ｂと対向する側壁２０ｂに図２に示すようにホース４１を収納するホース収納部２４を設けている構成と、前記係合片１５および係止凹部１６にそれぞれ対応する係合凹部２５とクランプ２６を設けた構成を除いては同一構成に形成されているものである。
【００２２】
そして、前記筐体２０は、筐体１０と同様上面両側に上方に向けて突出させた支持部２１、２１を形成することにより上面に溝状の脚載置部２２が形成されている。また、前記筐体２０の前記支持部２１の互いに対向する支持面２１ａに支持された布等から形成された収納体２３（ベース部Ａに設けた収納体１３と同一構成となっている）がその下側縁を図示しないホック等の取付手段によって着脱可能にして取り付けられており、この収納体２３に前記エアーバッグ２８が収納されている。
【００２３】
また、ベース部Ａの前記他方の側壁１０ｂと対向するベース部Ｂの側壁２０ｂには、この側壁２０ｂを方形状に凹ませて形成したホース収納部２４が設けられている。このホース収納部２４の底部には貫通孔（不図示）が形成されている。前記筐体１０の他方の側壁１０ｂから引き出された前記ホース４１が貫通孔からベース部Ｂの内部に引き込まれており、このホース４１の先端は筐体２０内において分岐されて前記エアーバッグ２８、２８にエアーを供給するように接続されている。
【００２４】
また、筐体２０の前記側壁２０ｂの下端部には前記図１および図３に示すように、前記係合片１５の係合爪１５ａが係止される係合穴２５が形成されており、また、支持部２１の上面部には軸２６ｂによって回動可能に取り付けられるとともに先端部にベース部Ａの支持部１１に形成した係止凹部１６と係合する係止爪２６ａが設けられたクランプ２６が設けられている。
【００２５】
なお、前記係合片１５、この係合片１５が係合する係合穴２５および係止凹部１６、この係止凹部１６に係止されるクランプ２６は結合手段を構成しているものである。
【００２６】
そして、前記係合片１５を係合穴２５に係合させるとともにクランプ２６を係止凹部１６に係止させることによってベース部Ａとベース部Ｂは一体的に結合され、逆にクランプ２６を係止凹部１６から外すとともに係合片１５を係合穴２５から離脱させることにより分離できるものである。
【００２７】
そして、前記ベース部Ａとベース部Ｂとを分離したときは、ベース部Ａとベース部Ｂは使用者は自分の好みの位置に配置でき、この場合においてもベース部Ａ配設されたエアーバッグ１８、１８はホース４０から分岐した図示しないホースによって、また、ベース部Ｂに配設されたエアーバッグ２８、２８はホース４１から分岐した図示しないホースによってエアーに給排気がなされるものである。
【００２８】
つぎに、前記ベース部Ａとベース部Ｂに配設された一対のエアーバッグ１８および２８にエアーを給排気するエアー供給装置３０について説明する。
【００２９】
このエアー供給装置３０は、筐体３１とこの筐体３１の内に設けられた図示しないエアーコンプレッサーからなるエアー生成装置、このエアー生成装置で生成されたエアーを前記一対のエアーバッグ１８および２８に給排気する電磁弁からなる給排気弁、および前記エアー生成装置および給排気弁を制御して、使用者によって設定された強さの押圧力に応じて前記エアーバッグ１８、２８に対するエアーの供給量を変えるように制御する制御手段等からなっている。
【００３０】
また、筐体３１には操作パネル３２が設けられており、この操作パネル３２には電源スイッチ３３、押圧力の大きさを設定する複数の設定スイッチ釦３４および始動スイッチ釦３５が設けられている。
【００３１】
つぎに、このように構成されたマッサージ器１の動作について説明する。
【００３２】
まず、使用者がマッサージをするために両脚を自由な状態で伸ばした際の両脚の間隔が、結合した両ベース部Ａおよびベース部Ｂの脚載置部１２と２２との間隔と略同じであるときは、図１に示すように両ベース部Ａおよびベース部Ｂを結合した状態で使用する。この場合は前記係合片１５を係合穴２５に係合させるとともにクランプ２６を係止凹部１６に係止させることによって一体的に結合し、ついで、脚載置部１２、２２に脚を載置し、エアー供給装置３０の電源スイッチ３３を閉成して駆動させ、また、設定スイッチ釦３４ａの中から所望の押圧力に対応する釦を操作し、ついで始動スイッチ釦３５を閉成する。
【００３３】
このことによって、エアー供給装置３０からホース４０等を介してエアーバッグ１８および２８にエアーの給排気がされて脚のマッサージがなされるものである。
【００３４】
つぎに、使用者はマッサージをするために両脚を自由な状態で伸ばして位置ささせた際の両脚の間隔が、結合した両ベース部Ａおよびベース部Ｂの脚載置部１２および２２の間隔より大きい場合、つまり結合した両ベース部Ａおよびベース部Ｂの脚載置部１２と２２との間隔では、この脚載置部１２および２２に脚を載置したときに両脚載置部１２、２２によって脚が規制され窮屈で違和感を感覚える状態である場合は、図２に示すように結合した両ベース部Ａとベース部Ｂを分離し、両ベース部Ａとベース部Ｂを、自分の脚の間隔つまり自分の脚の位置に合うように位置決めし、ついで両ベース部Ａおよびベース部Ｂの脚載置部１２および２２に脚を載置した後、結合状態の場合と同様にエアー供給装置３０の電源スイッチ３３を閉成して駆動させ、また、設定スイッチ釦３４の中から所望の押圧力に対応する釦を操作し、ついで始動スイッチ釦３５を閉成する。このことによって、エアー供給装置３０からホース４０等を介してエアーバッグ１８および２８にエアーの給排気がされて脚のマッサージがなされるものである。
【００３５】
そして、この場合は使用者はベース部Ａおよびベース部Ｂをマッサージの際に伸ばした自分の両脚の間隔に合わせて位置決めできることから、両脚載置部１２、２２に強制的に位置決めされることなく、したがって、違和感を感覚えることのない状態でマッサージができることから良好なマッサージ効果が得られるものである。
【００３６】
このように、上記マッサージ器１は、被施療部を挿入する間隙を形成するように互いに対向して設けられた一対の施療子を有する一対のベース部ＡおよびＢを合体または分離するようにしたことから、使用者はマッサージの際両ベース部ＡおよびＢを自分の両脚等の被施療部の部位に合わせて個別的に位置決めできることから良好なマッサージ効果が得られるものである。
【００３７】
また、両ベースＡおよびＢを分離した場合は、一方のベースに脚を位置させ、他方のベース部に例えば腿あるいは上椀等を位置させることもできることから、使用者の好みの部位を同時にマッサージできるものである。
【００３８】
また、施療子をエアーバッグで構成し、このエアーバッグの膨縮によって被施療部を押圧・弛緩してマッサージをするものであることから、ソフト的なマッサージができるものである。
【００３９】
また、両ベース部ＡおよびＢを結合分離する結合手段を設けるとともに、両ベース部Ａ、Ｂの一方側にエアーバッグを連通させるホース４１を収納するホース収納部２４を設け、両ベース部ＡおよびＢを結合した際に前記ホース収納部２４にホース４１を収納するようにしたことから、両ベース部ＡおよびＢの結合・分離を確実かつ容易にできるとともに、結合時にホース４１はホース収納部２４に収納されることから両ベース部の外部に露出しないため、結合状態で使用する場合および収納時に邪魔になることはなく取扱いを容易にできるものである。
【００４１】
また、上記実施の形態においては、マッサージ器１を互いに対向する支持部１１、１１および２１、２１により溝状の脚載置部１２、２２を形成し脚の両側から施療子としてのエアーバッグ１８、２８によって押圧するようにしたが、これは脚の下方側に施療子としてのエアーバッグを設け、脚を上方に押し上げることにより押圧してマッサージをする構成としてもよいものである。
【００４３】
また、上記実施の形態においては、ベース部Ｂにホース収納部２４を設ける構成としたが、これはベース部Ａ側に設けてもよく、また、両ベースＡおよびＢの両者に跨がって設けるようにしてもよいものである。
【００４５】
また、上記実施の形態においては、マッサージ器１をそれぞれ独立した一対のベース部Ａ、Ｂによって構成したが、これは一対に限られるものではなく、複数個例えば腕をマッサージするベース部をベース部Ａ、Ｂとともに結合分離可能に設ける構成としてもよいものである。
【００４７】
【発明の効果】
請求項１記載の発明によれば、使用者はマッサージの際ベース部を自分の両脚、両腕等の被施療部の部位に合わせて個別的に位置決めできることから良好なマッサージ効果が得られるという効果を有するものである。
【００４８】
更に、請求項１記載の発明によれば、互いに隣接するベース部を結合または分離する結合手段を設けるとともに、互いに隣接する両ベース部の少なくとも一方にエアーバッグに連通するホースを収納するホース収納部を設け、前記両ベース部を結合した際に前記ホース収納部に互いに隣接するベース部間に配設されたホースを収納するようにしたから、両ベース部の結合時に互いに隣接するベース部間に配設されたホースをホース収納部に収納できる。このため、結合状態で使用する場合および収納時に邪魔になることはなく、取扱いを容易にできるという効果を有するものである。
【図面の簡単な説明】
【図１】本発明の実施の形態のマッサージ器の全体を示す斜視図。
【図２】上記実施の形態のマッサージ器のベース部を分離した状態を示す斜視図。
【図３】上記実施の形態のマッサージ器のベース部を分離した状態の結合面側の部分側  面図。
【図４】上記実施の形態の一方のベース部の結合面側の斜視図。
【符号の説明】
１            マッサージ器
Ａ            ベース部（マッサージ部の一部）
Ｂ            ベース部（マッサージ部の一部）
１２、２２    溝状の脚載置部（載置部）
１５          係合片（結合手段）
１６          係止凹部（結合手段）
１８          エアーバッグ（施療子）
２４          ホース収納部
２５          係合穴（結合手段）
２６          クランプ（結合手段）
２８          エアーバッグ（施療子）
３０          エアー供給装置（駆動部）
４１          ホース
【図１】
0003609929.tif 000002
【図２】
0003609929.tif 000003
【図３】
0003609929.tif 000004
【図４】
0003609929.tif 000005